(57)【要約】  熱画像形成アクセサリ（ＴＩＡ）が頭部搭載型スマートデバイス（ＨＭＳＤ）を装着しているユーザの片目にデータを表示するためのデータディスプレイを備えるＨＭＳＤに連結される。ＨＭＳＤは、ＴＩＡの熱画像形成カメラの視野がデータディスプレイを通して見ている目の視野と実質的に一直線上に並ぶ向きにＴＩＡを支持する。ＨＭＳＤは、ＴＩＡをＨＭＳＤに連結し、ＨＭＳＤ上で熱画像形成アプリケーションを起動して、データをＴＩＡから受信しＨＭＳＤデータディスプレイに表示し、ＴＩＡから目標物の熱画像形成データを受信し、ＴＩＡから受信した熱画像形成データを加工し、加工した熱画像形成データのＨＭＳＤデータディスプレイへの表示を開始するように構成される。
2017519999.tif 000002
【特許請求の範囲】
【請求項１】
熱画像形成アクセサリ（ＴＩＡ）を頭部搭載型スマートデバイス（ＨＭＳＤ）に連結する工程と；
前記ＨＭＳＤ上で熱画像形成アプリケーションを起動して、前記ＴＩＡからデータを受信しＨＭＳＤデータディスプレイに表示する工程と；
前記ＴＩＡから目標物の熱画像形成データを受信する工程と；
前記ＴＩＡから受信した前記熱画像形成データを加工する工程と；
加工した前記熱画像形成データの前記ＨＭＳＤデータディスプレイへの表示を開始する工程とを備える；
コンピュータ実装方法。
【請求項２】
モバイルコンピューティングデバイス（ＭＣＤ）を前記ＴＩＡ又は前記ＨＭＳＤの少なくとも一方に連結する工程を備える；
請求項１に記載のコンピュータ実装方法。
【請求項３】
ある範囲内にあるＴＩＡとＭＣＤのうちの少なくとも一方を探し出して前記ＨＭＳＤとのデータ接続を確立するアプリケーションを前記ＨＭＳＤ上で実行する工程を備える；
請求項２に記載のコンピュータ実装方法。
【請求項４】
前記ＨＭＳＤから前記ＴＩＡへデータを送信する工程を備える；
請求項１に記載のコンピュータ実装方法。
【請求項５】
前記熱画像形成データとともに追加データが加工される、
請求項１に記載のコンピュータ実装方法。
【請求項６】
前記ＨＭＳＤから前記目標物までの距離を判定する工程を備える；
請求項１に記載のコンピュータ実装方法。
【請求項７】
予め設定された優先順位又は動的に決定された優先順位に従って加工した前記熱画像形成データが表示される、
請求項１に記載のコンピュータ実装方法。
【請求項８】
コンピュータによって実行可能なコンピュータ可読命令を記憶する、持続性のコンピュータ可読媒体であって：
熱画像形成アクセサリ（ＴＩＡ）を頭部搭載型スマートデバイス（ＨＭＳＤ）に連結し；
前記ＨＭＳＤ上で熱画像形成アプリケーションを起動して前記ＴＩＡからデータを受信し、それをＨＭＳＤデータディスプレイに表示し；
前記ＴＩＡから目標物の熱画像形成データを受信し；
前記ＴＩＡから受信した前記熱画像形成データを加工し；
加工した前記熱画像形成データの前記ＨＭＳＤデータディスプレイへの表示を開始するように構成された；
コンピュータ可読媒体。
【請求項９】
モバイルコンピューティングデバイス（ＭＣＤ）を前記ＴＩＡ又は前記ＨＭＳＤの少なくとも一方に連結するように構成された、
請求項８に記載のコンピュータ可読媒体。
【請求項１０】
ある範囲内にあるＴＩＡ又はＭＣＤの少なくとも一方を探し出して前記ＨＭＳＤとのデータ接続を確立するアプリケーションを前記ＨＭＳＤ上で実行するように構成された、
請求項９に記載のコンピュータ可読媒体。
【請求項１１】
前記ＨＭＳＤから前記ＴＩＡにデータを送信するように構成された、
請求項８に記載のコンピュータ可読媒体。
【請求項１２】
前記熱画像形成データとともに追加データが加工されるように構成された、
請求項８に記載のコンピュータ可読媒体。
【請求項１３】
前記ＨＭＳＤから前記目標物までの距離を判定するように構成された、
請求項８に記載のコンピュータ可読媒体。
【請求項１４】
予め設定された優先順位又は動的に決定された優先順位に従って加工した前記熱画像形成データが表示されるように構成された、
請求項８に記載のコンピュータ可読媒体。
【請求項１５】
熱画像形成アクセサリ（ＴＩＡ）と；
頭部搭載型スマートデバイス（ＨＭＳＤ）を装着しているユーザの目にデータを表示するためのデータディスプレイを備えるＨＭＳＤとを備え；
前記ＴＩＡの熱画像形成カメラの視野が前記データディスプレイを通して見ている目の視野と一直線上になる向きに、前記ＨＭＳＤが前記ＴＩＡを支持し、
前記ＨＭＳＤが
前記ＴＩＡを前記ＨＭＳＤに連結し；
前記ＨＭＳＤ上で熱画像形成アプリケーションを起動して、前記ＴＩＡからデータを受信しＨＭＳＤデータディスプレイにそれを表示し；
前記ＴＩＡから目標物の熱画像形成データを受信し；
前記ＴＩＡから受信した前記熱画像形成データを加工し；
加工した前記熱画像形成データの前記ＨＭＳＤデータディスプレイへの表示を開始し、予め設定された優先順位又は動的に決定された優先順位に従って加工した前記熱画像形成データが表示されるように構成された；
システム。
【請求項１６】
モバイルコンピューティングデバイス（ＭＣＤ）を前記ＴＩＡ又は前記ＨＭＳＤの少なくとも一方に連結するように構成された、
請求項１５に記載のシステム。
【請求項１７】
ある範囲内にあるＴＩＡ又はＭＣＤの少なくとも一方を探し出して前記ＨＭＳＤとのデータ接続を確立するアプリケーションを前記ＨＭＳＤ上で実行するように構成された、
請求項１６に記載のシステム。
【請求項１８】
前記ＨＭＳＤから前記ＴＩＡにデータを送信するように構成された、
請求項１５に記載のシステム。
【請求項１９】
前記熱画像形成データとともに追加データが加工されるように構成された、
請求項１５に記載のシステム。
【請求項２０】
前記ＨＭＳＤから前記目標物までの距離を判定するように構成された、
請求項１５に記載のシステム。
【発明の詳細な説明】
【技術分野】
【０００１】
本願は、２０１４年４月２２日に出願された米国仮特許出願第６１／９８２，６４１号の優先権を主張し、その内容を全て本願に引用して本願に組み込む。
【背景技術】
【０００２】
手持ち（ハンドヘルド）及び固定装着システム等の従来の熱画像形成デバイスは、典型的には、デバイスの視野に存在する対象物（複数可）に関係するデバイスからのデータの読み取りを実現するために、又は、外部の固定モニタからデータを読み取るために創り出されたものである。普通、データの読取りは、デバイスが生成した視覚画像を出力するためのデバイスの内部ディスプレイの使用に限定される。また、従来の熱画像形成デバイスは、例えば、一方の目で対象物を見ながら、他方の目で対象物に関するデータを対象物と他方の目との間に配置されたディスプレイレンズ／スクリーンで見るといった、同じ対象物を通常状態と強調状態で同時に目視観察できるようには設計されていないのが普通である。
【発明の概要】
【発明が解決しようとする課題】
【０００３】
典型的な熱画像形成デバイスの従来からの別の特徴は、単眼のアイピースと、熱画像形成光学系又は双眼型システムの視野に配置されたディスプレイとから成るビューファインダである。従来のこれら熱画像形成デバイスでは、肉眼での観察結果と熱画像とを重ね合わせること、及び／又は、例えば、ユーザが受け取った視覚情報を加工するのをアシストする複雑なプログラムを実行することはできない。
【課題を解決するための手段】
【０００４】
本開示は、頭部搭載型スマートデバイス（ＨＭＳＤ：ｈｅａｄ−ｍｏｕｎｔｅｄ  ｓｍａｒｔ  ｄｅｖｉｃｅ）用熱画像形成アクセサリ（ＴＩＡ：ｔｈｅｒｍａｌ  ｉｍａｇｉｎｇ  ａｃｃｅｓｓｏｒｙ）について述べる。
【０００５】
ＴＩＡは、ＨＭＳＤを装着したユーザの片目に対してデータを表示するデータディスプレイを備えるＨＭＳＤと連結される。ＨＭＳＤは、ＴＩＡの熱画像形成カメラの視野がデータディスプレイを通して見ている目の視野と実質的に一直線上になる向きにＴＩＡを支持する。ＨＭＳＤは、ＴＩＡをＨＭＳＤに連結し、ＨＭＳＤ上で熱画像形成アプリケーションを起動して、ＴＩＡからデータを受信しＨＭＳＤデータディスプレイに表示し、ＴＩＡから目標物の熱画像形成データを受信し、ＴＩＡから受信した熱画像形成データを加工し、加工した熱画像形成データのＨＭＳＤデータディスプレイへの表示を開始するように構成されている。
【０００６】
本態様の他の実施は、対応するコンピュータシステム、装置、及び１つ以上のコンピュータ可読媒体／記憶デバイスに記録され、記載された熱画像形成アクセサリと関連する方法の作業を遂行するようにそれぞれが構成されているコンピュータプログラムを含むことができる。１つ以上のコンピュータを有するシステムを、システムにインストールされ、作動するとシステムに作業を遂行させるソフトウェア、ファームウェア、ハードウェア、又はソフトウェア、ファームウェアもしくはハードウェアの組合せを有することで、特定の作動又は作業を遂行するように構成することができる。１つ以上のコンピュータプログラムを、データ加工装置によって実行されるときに装置に作業を遂行させる命令を含むことで、特定の作動又は作業を遂行するように構成することができる。
【０００７】
例えば、１つのコンピュータ実装方法は、ＴＩＡをＨＭＳＤに連結する工程と；ＨＭＳＤ上で熱画像形成アプリケーションを起動して、ＴＩＡからデータを受信しＨＭＳＤデータディスプレイに表示する工程と；ＴＩＡから目標物の熱画像形成データを受信する工程と；ＴＩＡから受信した熱画像形成データを加工する工程と；及び、加工した熱画像形成データのＨＭＳＤデータディスプレイへの表示を開始する工程とを備える。
【０００８】
上記及び他の実施はそれぞれ、場合により以下の特徴の１つ以上を、単独で又は組み合わせて含むことができる。
【０００９】
モバイルコンピューティングデバイス（ＭＣＤ：ｍｏｂｉｌｅ  ｃｏｍｐｕｔｉｎｇ  ｄｅｖｉｃｅ）をＴＩＡ又はＨＭＳＤの少なくとも一方に連結する工程を備える、一般的な実施と組み合わせることができる第一の態様。
【００１０】
ある範囲内のＴＩＡ又はＭＣＤの少なくとも一方を探し出してＨＭＳＤとのデータ接続を確立するアプリケーションをＨＭＳＤ上で実行する工程を備える、上記態様のいずれかと組み合わせることができる第二の態様。
【００１１】
ＨＭＳＤからＴＩＡにデータを送信する工程を備える、上記態様のいずれかと組み合わせることができる第三の態様。
【００１２】
熱画像形成データと共に追加のデータが加工される、上記態様のいずれかと組み合わせることができる第四の態様。
【００１３】
ＨＭＳＤから目標物までの距離を判定する工程を備える、上記態様のいずれかと組み合わせることができる第五の態様。
【００１４】
予め設定された優先順位又は動的に決定された優先順位に従って、加工した熱画像形成データが表示される、上記態様のいずれかと組み合わせることができる第六の態様。
【００１５】
本明細書に記載される主題は、以下の利点の１つ以上を実現するために特定の実施において実施することができる。第一に、温度データ、距離測定データ、音声データ、カメラデータ、及び／又は他のデータを外部コンポーネント（例えば、熱画像形成アクセサリ）から受信し、ＧＯＯＧＬＥ  ＧＬＡＳＳ等の頭部搭載型スマートデバイス、又は類似の処理ユニットに送り込むことができる。これにより、頭部搭載型スマートデバイスの表示／加工能力を用いて外部コンポーネントからのデータ及び画像を見る／聞くことが可能となる。第二に、一方の裸眼による観察結果を他方の目で見る熱画像と重ね合わせ、対象物の修正されていない姿と拡張／強調された姿とを同時に見られるようにできる。第三に、熱画像データは、熱画像形成アクセサリによって利用可能とされ加工された他の利用可能なデータと（例えば、レーザー測距器、全地球測位システム（ＧＰＳ：Ｇｌｏｂａｌ  Ｐｏｓｉｔｉｏｎｉｎｇ  Ｓｙｓｔｅｍ）位置データ、コンパス等からのデータを熱画像形成アクセサリ及び／又はモバイルコンピューティングデバイス上で）結合することができる。例えば、見ている対象物の位置／測定結果（例えば、熱痕跡、距離、高度等）を、おそらくは表示される地図データ、弾道データ、構造物データ、兵站データ又は他の任意の有用データと併せて示すことができるプログラム（複数可）を実行することができる。第四に、頭部搭載型スマートデバイス（及び、実施によっては、熱画像形成アクセサリ及び／又は外部のモバイルコンピューティングデバイス）は、頭部搭載型スマートデバイス及び／又は熱アクセサリが外部から取り込んだ音声、動画、静止画像だけでなく、重ね合わせたデータ及び／又は計算／加工したデータを記録するのに使用することができる。第五に、熱画像形成データ、視覚データ、及び／又は他の記載されたデータを（例えば、電話、ネットワーク、ＢＬＵＥＴＯＯＴＨ（登録商標）、ＷＩＦＩ、及び／又は本開示と矛盾しない他の伝達手段で）他の熱画像アクセサリユーザ、モバイルコンピューティングデバイス、及び／又は特定業務のための中央処理センタ（例えば、警察／軍事指揮センタ）に送信することができる。他の利点も、当業者には明らかとなる。
【００１６】
本明細書の主題の１つ以上の実施の詳細を、添付図面と以下の説明で述べる。主題の他の特徴、態様、及び利点は、説明、図面、及び請求項から明らかになろう。
【図面の簡単な説明】
【００１７】
【図１】実施の形態による頭部搭載型スマートデバイス用熱画像形成アクセサリの正面斜視図である。
【００１８】
【図２】頭部搭載型スマートデバイスに取り付けられた、実施の形態による頭部搭載型スマートデバイス用熱画像形成アクセサリの上面斜視図である。
【００１９】
【図３】頭部搭載型スマートデバイスに取り付けられた、実施の形態による頭部搭載型スマートデバイス用熱画像形成アクセサリの斜視図である。
【００２０】
【図４】実施の形態による頭部搭載型スマートデバイスシステム用の、実施例である熱画像形成アクセサリのコンポーネントを示すブロック図である。
【００２１】
【図５】実施の形態による頭部搭載型スマートデバイス用熱画像形成アクセサリの使用方法を示すフローチャートである。
【００２２】
【図６】実施の形態による、頭部搭載型支持体に取り付けられた別の熱画像形成アクセサリの斜視図である。
【００２３】
【図７】実施の形態による、頭部搭載型支持体に取り付けられた、図６に示す別の熱画像形成アクセサリの異なる斜視図である。
【００２４】
【図８】実施の形態による、頭部搭載型支持体に取り付けられた、図６に示す別の熱画像形成アクセサリの別の斜視図である。
【発明を実施するための形態】
【００２５】
様々な図面における同様の符号及び記号表示は同様の要素を示す。
【００２６】
以下の説明は、当業者が、開示された主題を製作しこれを使用できるようにするためのものであり、１つ以上の特定の実施の形態の文脈においてなされる。開示された実施の形態に対して様々な改変を行えることを当業者は容易に分かるであろうし、本明細書で定義する一般原理は、開示の範囲から逸脱することなく他の実施の形態及び用途に適用できる。したがって、本開示は、説明し及び／又は図示した実施の形態に制限されず、本明細書に開示する原理及び特徴と矛盾しない最も広い範囲に従うことを意図する開示である。
【００２７】
図１は、実施の形態による頭部搭載型スマートデバイス１０２用熱画像形成アクセサリ（ＴＩＡ）１０４の正面斜視図１００である。頭部搭載型スマートデバイス１０２は、ユーザが少なくとも片目で（例えば、データディスプレイ１１０上の）データを見られるようにできればよく、頭部に装着する任意のウェアラブルスマートデバイス（例えば、ＧＯＯＧＬＥ  ＧＬＡＳＳ、ヘッドバンド搭載型デバイス、仮想現実型メガネ／ギア等）とすることができる。実施の形態によっては、頭部搭載型スマートデバイス（ＨＭＳＤ）１０２は両目に対して同時にデータを表示することができる。実施の形態によっては、データディスプレイ１１０はユーザにとって透明であり、ユーザは、データディスプレイ１１０を通して対象物を見ることができるだけでなく、見ている対象物に重ね合わされたデータを、対象物と関連したデータであるかどうかは別として、見ることができる。即ち、拡張現実型ディスプレイである。例えば、データディスプレイ１１０は、ユーザがデータディスプレイを通して見えるようにするプラスチック、ガラス、セラミック等の透明片とすることができる。投影デバイス（不図示）のような小型の光学デバイスが、画像を片目で見ることができるデータディスプレイ（例えば、内部ディスプレイ、外部ディスプレイ、又は両者の組合せ）に投影する。本実施の形態において、ＨＭＳＤ１０２は通常、電源、コンパス、角度と方向と運動のセンサ、画像を受信しデータディスプレイに送信するためのＷｉ−Ｆｉモジュール、及び／又は他の機器、ツール、機能等を含んでいる。
【００２８】
ＨＭＳＤ１０２、ＴＩＡ１０４、データディスプレイ１１０、及び／又は記載された他のコンポーネントは、耐久性を高めて防水、耐衝撃、耐温度、耐薬品等とすることができる。実施の形態によっては、記載されたコンポーネントは、安全なデータ通信システム（例えば、暗号化されたもの）を備えて構成することができ、特定のユーザだけが使用できるように（例えば、網膜スキャン、音声パターン等の生体認証、又は他の生体認証を用いて）個人専用とすることができる。
【００２９】
頭部搭載型スマートデバイス１０２は、ＴＩＡ１０４用の取付け点として用いられる。図示の実施の形態において、ＴＩＡ１０４は、取付けクリップ１０８を用いてＨＭＳＤ１０２に取り付けることができる。取付けクリップは、図示したもの以外に、例えば、ネジ、紐、ブラケット、クランプ等様々な形態をとることができる。実施の形態によっては、ＨＭＳＤ１０２は、ＴＩＡ１０４用の取付け点を提供するため、例えば、テンプルピースに形成された切欠き、ブラケット、ソケット等を備えるように特別に設計／改変されている。実施の形態によっては、取付けクリップ１０８（及び／又は取付けクリップ１０８を構成することができる様々なコンポーネント）は、一種以上のプラスチック、又は、例えば金属、セラミック等の他の任意の十分に剛性のある頑丈な材料で構成することができる。
【００３０】
図示の実施の形態において、熱画像形成アクセサリは、ＨＭＳＤ１０２の側部に（例えば、テンプル／イヤピースに）装着される。他の実施の形態では、ＴＩＡ１０４は、熱画像形成レンズ１０６がＨＭＳＤ１０２の光学カメラ１１２の視野と一直線上（実質的に一直線上を含む）に並ぶ限り、他の位置に（例えば、鼻梁の前側（ブリッジ部）、頭部に巻いた別体のバンド、帽子／ヘルメット等に）装着できる。
【００３１】
特殊な実施の形態（図６〜８に記載する以下の別の実施の形態を含む）において、ＴＩＡ１０４（又はＴＩＡ１０４と関連する追加のカメラ等、又は配向が異なる追加のＴＩＡ１０４）は、ユーザの背後から側方、上側、及び／又は下側からデータ（例えば、競争しているサイクリストの後方の光景、スカイダイバーからの様々な光景等）を受信するように配向することができる。
【００３２】
熱画像形成レンズ１０６は、ＴＩＡ１０４と関連するデジタルカメラ（不図示）が受信する前に特定のタイプの電磁放射線を送信及び／又は変更／修正するように構成されている。例えば、熱画像形成レンズ１０６は、熱画像形成システムの場合のように、赤外線（ＩＲ）放射を透過するように構成することができる。実施の形態によっては、熱画像形成レンズ１０６は、ゲルマニウム（Ｇｅ）、石英、ＡＭＴＩＥＲ、フッ化バリウム、フッ化カルシウム、塩化ナトリウム、ＣＬＥＡＲＴＲＡＮ、溶融石英、ケイ素、ポリエチレン、ＩＲ透過セラミック、及び／又は他の任意の赤外電磁放射線を透過するタイプの物質で構成することができる。実施の形態によっては、熱画像形成レンズ１０６は、可視波長及びＩＲ放射波長の両方を透過する物質、例えば、石英、ポリエチレン等で造ることができる。実施の形態によっては、レンズは、異なる波長の電磁放射線を変更／修正できるように、取り外し可能とすることができる。実施の形態によっては、ＴＩＡ１０４内で、熱画像形成レンズ１０６に関連するデジタルカメラアセンブリ全体を取り外して交換し、機能を変えることができる。ＴＩＡ１０４は、熱画像形成レンズ１０６（熱画像形成機能を提供する）のみを備えるように図示しているが、他の実施の形態において、熱画像形成アクセサリは、ＴＩＡ１０４が収集した視覚データ又は他のデータに関する追加情報を提供するために、２以上の熱画像形成レンズ１０６、及び／又は、例えば内部クロック、コンパス、ＧＰＳ受信機／送信機、レーザー測距器、マイクロホン（指向性マイクロホンを含む）、光学カメラ（高低様々な解像度のものが考えられる）、ジャイロスコープ、加速度計、傾斜計、運動センサ、高度センサ、温度計、気圧センサ等の内蔵機器を有することができる。
【００３３】
実施の形態によっては、ＴＩＡ１０４の光学カメラ及び／又は他の機器は、ＨＭＳＤ１０２の光学カメラ１１２の視野と一直線上（実質的に一直線上を含む）に並べることができる。ＨＭＳＤ１０２は、光学カメラ１１２を備えている場合のみ図示されているが、実施の形態によっては、ＴＩＡ１０４用としてリストに記載の、考えられる機器の一部又は全部を有することができる。実施の形態によっては、機器は、協働してデータ収集能力を強化することができる。他の実施の形態において、様々な作動上、戦術上、人間工学上、使用可能性上の理由等により、熱画像形成デバイス１０４とは別に１つ以上の機器をデバイスに収容し、例えば、ＨＭＳＤ１０２の装着者の近くに配置する、及び／又は装着者に装着させる（例えば、ベルト搭載型ＫＥＳＴＲＥＬ型デバイス等）ことができる。
【００３４】
実施の形態によっては、ＴＩＡ１０４は、有線接続及び／又は無線接続（不図示）を用いてＨＭＳＤ１０２と連携／通信することができる。例えば、ＴＩＡ１０４の近くに位置するＨＭＳＤ１０２のテンプルピースは、データポート（例えば、ＵＳＢ、ファイヤワイヤ（ＦＩＲＥＷＩＲＥ（登録商標））等）を備えて構成することができる。ＨＭＳＤ１０２及びＴＩＡ１０４は、両者間のデータの無線通信が可能なように、無線通信機を備えて構成することもできる。実施の形態によっては、データは同時に有線と無線で送信することができる。
【００３５】
図２は、頭部搭載型スマートデバイスに取り付けられた、実施の形態による頭部搭載型スマートデバイス用熱画像形成アクセサリの上面斜視図２００である。
【００３６】
図３は、頭部搭載型スマートデバイスに取り付けられた、実施の形態による頭部搭載型スマートデバイス用熱画像形成アクセサリの斜視図３００である。
【００３７】
図４は、実施の形態による頭部搭載型スマートデバイスシステムの、実施例としての熱画像形成アクセサリのコンポーネントを示すブロック図４００である。図示のシステムは、データ接続４３０を介して通信するＨＭＳＤ１０２、ＴＩＡ１０４、及びモバイルコンピューティングデバイス（ＭＣＤ）４４０を含む、又はこれらに通信可能に連結される。実施の形態によっては、ＬＲＦＡシステム４００の１つ以上のコンポーネントは、他のモバイルコンピューティングデバイス及び／又はＬＲＦＡと共に作動するように構成されてもよい。
【００３８】
高レベルでは、ＨＭＳＤ１０２は、システム４００に関連するデータ及び情報を受信、送信、加工、記憶、管理及び／又は表示するように作動する電子コンピューティングデバイスである。ＨＭＳＤ１０２は、典型的には頭部搭載型ウェアラブルコンピューティングデバイスであるが、他の任意適切なコンピュータ処理デバイスを包含することができる。当業者には明らかなように、ＨＭＳＤ１０２は、図示しない必要な制御／処理回路、及び／又は上記の機能／作動を可能とするための他のコンポーネントを含むこともできる。
【００３９】
ＨＭＳＤ１０２は、要求の生成、及び／又は、特にＴＩＡ１０４、ＭＣＤ４４０、及び／又はＨＭＳＤ１０２の他の実例からのデータの受信と、受信したデータに対する応答、表示、及び／又は加工とに関与する。実施の形態によっては、ＨＭＳＤ１０２は、アプリケーション４０７を用いてデータを加工（処理）する。ＴＩＡ１０４及び／又はＭＣＤ４４０に送信される要求及び／又はそこから受信する要求に加え、他のＴＩＡ１０４及び／又はＭＣＤに要求を送信し、及び／又はそこから要求を受信してもよい。例えば、目標とする対象物までの距離計算をより正確に判定し、データを検証し、ユーザが多様な視点から視覚データを見られるようにするために、１つのＨＭＳＤ１０２を「コントローラ」として設計し、複数のＴＩＡ１０４、ＭＣＤ４４０、及び／又はＨＭＳＤ１０２からデータを受信することができる。
【００４０】
ＨＭＳＤ１０２のコンポーネントはそれぞれ、システムバス４０３を用いて通信可能である。実施の形態によっては、ＨＭＳＤ１０２のコンポーネントのいずれか及び／又は全部は、ハードウェア及び／又はソフトウェアのいずれも、システムバス４０３を通じ、アプリケーションプログラミングインターフェース（ＡＰＩ：ａｐｐｌｉｃａｔｉｏｎ  ｐｒｏｇｒａｍｍｉｎｇ  ｉｎｔｅｒｆａｃｅ）、サービスレイヤ、又は同種のもの（不図示）を用いて、互いに、及び／又はインターフェース４０２と連携してもよい。ＡＰＩは、ルーチン、データ構造、及びオブジェクトクラス用の仕様を含んでもよい。ＡＰＩは、コンピュータ言語非依存でも依存でもよく、完全なインターフェース、単機能、又は一組のＡＰＩに当てはまるものであってもよい。サービスレイヤは、システム４００にソフトウェアサービスを提供する。ＨＭＳＤ１０２の機能は、このサービスレイヤを用いてサービス購入者が誰でもアクセス可能なものであってもよい。サービスレイヤによって提供されるサービス等のソフトウェアサービスは、定義されたインターフェースを介して再使用可能な、定義されたビジネス機能を提供する。例えば、インターフェースは、拡張マークアップ言語（ＸＭＬ：ｅｘｔｅｎｓｉｂｌｅ  ｍａｒｋｕｐ  ｌａｎｇｕａｇｅ）フォーマット又は他の適切なフォーマットでデータを提供するＪＡＶＡ（登録商標）、Ｃ＋＋、又は他の適切な言語で書かれたソフトウェアであってもよい。ＡＰＩ及び／又はサービスレイヤの一部又は全ての部分は、本開示の範囲から逸脱しない範囲で、別のソフトウェアモジュールの子モジュール又はサブモジュールとして実装されてもよい。例えば、ＡＰＩ１１２は、アプリケーション４０７に組み込むこともできる。
【００４１】
ＨＭＳＤ１０２はインターフェース４０２を含む。図４では単一のインターフェース４０２として図示されているが、特定のニーズ、要望、又はシステム４００の特定の実施の形態に応じて２以上のインターフェース４０２を使用してもよい。インターフェース４０２は、ＨＭＳＤ１０２によって、データ接続４３０に接続されたＴＩＡ１０４及び／又はＭＣＤ４４０との通信に使用される。一般に、インターフェース４０２は、ソフトウェア及び／又はハードウェアにおいてコード化されたロジックを適切な組合せで含み、データ接続４３０と通信するように作動する。より具体的には、インターフェース４０２は、データ接続４３０又はデータ接続４３０ハードウェアが図示のシステム４００の内部及び外部と物理的な信号を通信するように作動するべく、通信と関連する１つ以上の通信プロトコルをサポートするソフトウェアを含んでもよい。データ接続は、無線ネットワーク（例えば、セルラー（携帯電話）、ＷＩＦＩ、ＢＬＵＥＴＯＯＴＨ（登録商標）等）及び／又は直接的な物理的接続（例えば、ケーブル等）を含むことができる。
【００４２】
ＨＭＳＤ１０２は、プロセッサ４０５を含む。図４では単一のプロセッサ４０５として図示されているが、特定のニーズ、要望、又はシステム４００の特定の実施の形態に応じて２以上のプロセッサを使用してもよい。プロセッサ４０５は、命令を実行し、データを操作してＨＭＳＤ１０２の作動／機能を遂行する。例えば、プロセッサ４０５は、データディスプレイ１１０にデータ表示を行うための機能を実行することができる。
【００４３】
ＨＭＳＤ１０２は、ＨＭＳＤ１０２、ＴＩＡ１０４、及び／又はＭＣＤ４４０のためにデータを保持するメモリ４０６を更に含む。図４では単一のメモリ４０６として図示されているが、特定のニーズ、要望、又はシステム４００の特定の実施の形態に応じて２以上のメモリを使用してもよい。メモリ４０６は、ＨＭＳＤ１０２の不可欠な構成要素として図示されているが、別の実施の形態では、メモリ４０６はＨＭＳＤ１０２及び／又はシステム４００の外部にあるものとすることができる。実施の形態によっては、メモリ４０６は、例えば、ユーザプロフィール、通信データ、目標対象物データ、記録された音声／動画データ、アプリケーション、及び／又は他の適切なデータのうちの１つ以上の実例を記憶するように構成することができる。
【００４４】
アプリケーション４０７は、とりわけ、ＨＭＳＤ１０２の作動に関する機能及び／又はＴＩＡ１０４及び／又はＭＣＤ４４０と関連する機能を実現するソフトウェア計算エンジンである。例えば、アプリケーション４０７は、ＨＭＳＤ１０２にインストールされるダウンロード可能なアプリケーションとすることができる。アプリケーション４０７は、ＨＭＳＤ１０２の構成、すなわち、関連するディスプレイへのＧＵＩレイアウトの表示を生成し開始すること、データ（例えば、ＴＩＡ１０４及び／又はＭＣＤ４４０からの）を受信し加工すること、複雑な計算を遂行すること等を考慮に入れることも可能である。
【００４５】
アプリケーション４０７は単一のアプリケーション４０７として図示されてはいるが、複数のアプリケーション４０７として実装されてもよい。加えて、ＨＭＳＤ１０２と一体なものとして図示されているが、別の実施の形態では、アプリケーション４０７をＨＭＳＤ１０２及び／又はシステム４００の外部のもの（例えば、全体的又は部分的に別のＨＭＳＤ１０２（不図示）の異なる実施の形態上で実行される等）とすることができる。
【００４６】
機器４０８は、データを収集してアプリケーション４０７で利用可能とするための様々なハードウェア機器及び／又はソフトウェア機器を含むことができる。例えば、実施の形態によっては、機器４０８は、データディスプレイ、デジタルカメラ、全地球測位システム（ＧＰＳ）受信機／送信機、加速度計、ジャイロセンサ、コンパス、無線通信機、温度／圧力センサ、高度計、及び／又はシステム４００の目的に適する他の機器（図１に関して上に記載するものを含む）を含むことができる。
【００４７】
実施の形態によっては、ＴＩＡ１０４のインターフェース４２０、デジタルカメラ／機器４２２、プロセッサ４２４、メモリ４２６、及びアプリケーション４２８は、上に記載するもの（特に、ＨＭＳＤ１０２に関して）と類似したものでも異なるものでもよいが、タスクを遂行する、データを記憶する等、ＴＩＡ１０４の目的に特に適するものである。ＴＩＡ１０４は、ＨＭＳＤ１０２、ＭＣＤ４４０、及び／又はＴＩＡ１０４の他の実例とデータ接続４３０を介して適宜に通信してデータを送信及び／又は受信することができる。実施の形態によっては、ＴＩＡ１０４のコンポーネントのそれぞれは、システムバス４２１を用いて通信することができる。実例によっては、システムバス４２１が提供する機能は、当業者が理解するように、本開示と矛盾しないシステム４００全体のニーズにもよるが、ＨＭＳＤ１０２のコンポーネントでＴＩＡ１０４のコンポーネントに類似したもの、又はＴＩＡ１０４のコンポーネントと同じ作動を遂行できるものに対しては、上記システムバス４０３に類似したものとすることができる。
【００４８】
実施の形態によっては、ＭＣＤ４４０は、上に記載するもの（特に、ＨＭＳＤ１０２及び／又はＴＩＡ１０４に関して）と類似したものであれ異なるものであれ、インターフェース、デジタルカメラ／機器、プロセッサ、メモリ、アプリケーション、及び／又はＴＩＡ１０４の他の要素であって、タスクを遂行する、データを記憶する等、ＭＣＤ４４０の目的に特に適するものを備えて構成することができる。ＭＣＤ４４０は、データ接続４３０を介して適宜ＨＭＳＤ１０２、ＴＩＡ１０４、及び／又はＭＣＤ４４０の他の実例と通信してデータを送信及び／又は受信することができる。
【００４９】
図５は、実施の形態による頭部搭載型スマートデバイス用熱画像形成アクセサリの使用方法５００を示すフローチャートである。説明を明確にするため、図１〜４及び６〜８に照らして方法５００について以下の通り一般的に説明する。しかし、当然ながら、方法５００は、例えば、他の任意適切なシステム、環境、ソフトウェア及びハードウェア、又はシステム、環境、ソフトウェア及びハードウェアの組合せによって適宜遂行されてもよい。実施の形態によっては、方法５００の様々なステップは、並行して、組み合わせて、ループで、又は任意の順序で実行することができる。
【００５０】
５０２では、頭部搭載型スマートデバイス（ＨＭＳＤ）が熱画像形成アクセサリ（ＴＩＡ）と、（場合により）モバイルコンピューティングデバイス（ＭＣＤ）とに連結される。例えば、ＨＭＳＤは、ＨＭＳＤとのデータ接続を可能とするアプリケーションを実行し得るＭＣＤを探し出すアプリケーション及び／又はある範囲内のＴＩＡを実行することもできる。５０２から、方法５００は５０４へと進む。
【００５１】
５０４では、ＨＭＳＤ上で適切なアプリケーション／機能が起動される。例えば、ユーザは、ＨＭＳＤ上でＴＩＡからデータを受信しＨＭＳＤデータディスプレイに表示するための熱画像形成アプリケーションを起動することができる。５０４から、方法５００は５０６へと進む。
【００５２】
５０６では、データ（例えば、熱画像形成データ及び／又は他のデータ）がＴＩＡ及び／又はＭＣＤから／に受信／送信される。例えば、ＨＭＳＤは、コンパス／ＧＰＳデータをＭＣＤに要求することができ、それがＨＭＳＤに返信されるだけでなく、ＨＭＳＤは、ユーザが見ている特定の対象物のより接近した熱画像を得るために熱画像形成レンズと関連したデジタルカメラをズームする要求をＴＩＡに送信することができる。５０６から、方法５００は５０８へと進む。
【００５３】
５０８では、ＨＭＳＤは、ＴＩＡ及び／又はＭＣＤから受信した１つ以上の目標物に関連するデータ（例えば、熱画像形成及び／又は他のデータ）を加工する。例えば、受信したズーム熱画像データは、５０６にてＭＣＤへの要求に応じて送られたＧＰＳ及びコンパス座標と共に加工される。加えて、ＴＩＡ／ＭＣＤ／ＨＭＣＤがレーザー測距器を備え、見ている対象物までの測距データが得られる場合には、受信したデータを、ユーザから対象物までの距離の判定に使用することができる。５０８から、方法５００は５１０へと進む。
【００５４】
５１０では、ＨＭＳＤが、５０８の加工したデータのデータディスプレイへの表示を開始する。データは、予め設定された優先順位及び／又は動的に決定された優先順位に従って表示することができる。５１０の後、方法５００は停止する。
【００５５】
図６は、実施の形態による、頭部搭載型支持体に取り付けられた別の熱画像形成アクセサリの斜視図６００である。頭部搭載型支持体（ＨＭＳ：ｈｅａｄ−ｍｏｕｎｔｅｄ  ｓｕｐｐｏｒｔ）６０２は、ユーザが少なくとも片目で（例えば、（図示したように）レンズ６０４の外表面に近接して配置された別のデータディスプレイ（ＡＤＤ：ａｌｔｅｒｎａｔｉｖｅ  ｄａｔａ  ｄｉｓｐｌａｙ）６０５上の）データを見られるようにできればよく、頭部に装着する任意のウェアラブルデバイス（例えば、メガネ等）とすることができる。なお、ＡＤＤ６０５は、表示部（例えば、データを表示するための平坦な矩形のガラス／プラスチック片）と、表示部にデータを表示させるための投影／表示装置を収容する投影／表示部との組合せである（以下、両者をまとめて「ＡＤＤ６０５」と称する）。実施の形態によっては、ＨＭＳ６０２を使用してデータを両目に同時に表示することができる（例えば、２つのＴＩＡ１０４及びＡＤＤ６０５を用いて）。実施の形態によっては、ＡＤＤ６０５はユーザにとって透明であり、ユーザは、ＡＤＤ６０５を通して対象物を見ることができるだけでなく、見ている対象物に重ね合わせたデータを、それが対象物と関連したものであるかどうかは別として、見ることができる。即ち、拡張現実型ディスプレイである。実施の形態によっては、視覚問題（例えば、近視、乱視等）を補正するため、レンズ６０４を、度付きレンズとすることができる。他の実施の形態において、レンズを度なし、又はＡＤＤ６０５と共には存在しないようにすることができる。他の実施の形態において、ＡＤＤ６０５は、レンズ６０４を上記の別体の表示部とは対照的な使い方をするように構成することができる。例えば、データがレンズ６０４（例えば、内面又は外面）に表示されるようにＡＤＤ６０５の投影／表示部を構成することもできる。
【００５６】
ＨＭＳ６０２はＴＩＡ１０４用の取付け点として使用される。図示の実施の形態において、ＴＩＡ１０４は、一種の取付け機構６０３（例えば、取付けクリップ１０８、ネジ、紐、ブラケット、クランプ等）を用いてＨＭＳ６０２に取り付けることができる。実施の形態によっては、ＨＭＳ６０２は、ＴＩＡ１０４用の取付け点を提供するため、例えば、テンプルピースに形成された切欠き、ブラケット、ソケット等を備えるように特別に設計／改変されている。実施の形態によっては、取り付け機構６０３（及び／又は取り付け機構６０３を構成する様々なコンポーネント）は、一種以上のプラスチック、又は、例えば金属、セラミック等の他の任意の十分に剛性のある頑丈な材料で構成することができる。図示の取付け機構６０３はＨＭＳ６０２のテンプル／イヤピース６０６に対する２つの取付け点を含んでいるが、他の実施の形態においては、取付け機構は、単一の、又は３つ以上の取付け点を用いてテンプル／イヤピース６０６に接続できる。
【００５７】
図示の実施の形態において、ＴＩＡ１０４は、ＨＭＳ６０２の側部に（例えば、ＨＭＳ６０２のテンプル／イヤピース６０６に）装着される。他の実施の形態において、ＴＩＡ１０４は、熱画像形成レンズ１０６がＨＭＳ６０２に搭載されたＡＤＤ６０５の視野と一直線上（実質的に一直線上を含む）に並ぶ限り、他の位置に（例えば、鼻梁の前側（ブリッジ部）、頭部に巻いた別体のバンド、帽子／ヘルメット等に）装着することができる。
【００５８】
本実施の形態において、ＡＤＤ６０５は、データがＡＤＤ６０５に表示されることについては、「スマート」デバイス（例えば、ＨＭＳＤ１０２）に依存しない。実施の形態によっては、データディスプレイは、無線接続及び／又は有線接続を用いてデータをＴＩＡ１０４及び／又はＭＣＤ４４０から直接受信するように構成される。典型的には、ＡＤＤ６０５は、ＭＣＤ４４０からデータを受信するように構成される。
【００５９】
本実施の形態において、ＡＤＤ６０５は、「クリップ式」（例えば、メガネのレンズ／フレームへの）デバイス、又はＨＭＳ６０２に取り付けるように独自に構成されたディスプレイデバイスとすることができる。ＴＩＡ１０４及び／又はデータディスプレイは、ＭＣＤ４４０からデータ信号を受信するように構成される。ＡＤＤ６０５は、上記のようなディスプレイ、表示される画像をユーザが目で見るためのデータディスプレイ１００に送信する任意のタイプの光学機器、電源、コンパス、角度と方向と運動のセンサ、及び／又は画像を受信するためのＷｉ−Ｆｉモジュール、ならびに／又は他の機器、ツール、機能等を含むことができる。
【００６０】
実施の形態によっては、別のＡＤＤ６０５のハウジングは、フレームへのクランプ、磁石、又は本開示と矛盾しない他の任意の取付け機構と共に、吸盤、糊、又は他の手段を用いたガラス／シールド／ひさしへの取付具（例えば、：ダイバーのマスク、消防士のヘルメット、警察の暴徒鎮圧用シールド、軍パイロットのヘルメットのひさし等）を含むがこれに限らない、異なる搭載機構を備えて構成することができる。
【００６１】
実施の形態によっては、幾つかのデータディスプレイをネットワーク化して、同じ画像／データ、又は特定のユーザに特有な他のタイプの様々な追加データ／重ね合わせデータと共に同じ画像／データを複数のユーザが受信して見られるようにできる。同様に、実施の形態によっては、複数のＴＩＡ１０４から得られたデータを加工／結合して「広域」タイプのデータ表示（例えば、消防士／警察／軍に任務を指示する消火／警察／軍事用指揮所等）を創出することができる。
【００６２】
ＴＩＡ１０４及び／又は熱画像形成レンズ１０６の構成、使用、通信等は、データをＨＭＳＤ１０２に送信する、及び／又はＨＭＳＤ１０２から受信することはない点を除いて、図１〜５に関して上に記載するものと類似している。図６〜８の様々な実施の形態において、データは、ＴＩＡ１０４、ＡＤＤ６０５、及び／又はＭＣＤ４４０の間で／によって、送信及び／又は受信される。換言すれば、ＨＭＳ６０２は、ＴＩＡ１０４、ＡＤＤ６０５、及び／又はＭＣＤ４４０からのデータのサポート及び／又は表示のみを目的とする「データ加工能力のない」デバイスである。これは、図からＨＭＳＤ１０２と、それへのデータ接続４３０とを取り除き、ＭＣＤ４４０とＴＩＡ１０４を残すことによって図４を変えることで視覚化できる。
【００６３】
実施の形態によっては、ＴＩＡ１０４は、有線接続及び／又は無線接続（不図示）を用いてＡＤＤ６０５及び／又はＭＣＤ４４０と連携／通信することができる。例えば、ＴＩＡ１０４の近くに位置するＨＭＳ６０２のテンプルピースは、データポート（例えば、ＵＳＢ、ＦＩＲＥＷＩＲＥ（登録商標）等）及び／又は無線通信機を備えて構成することができる。実施の形態によっては、データは有線と無線で同時に送信することができる。
【００６４】
実施の形態によっては、データ信号が加工のためにＴＩＡ１０４から直接ＭＣＤ４４０に送信される。例えば、送信されるデータ信号は、ＴＩＡ１０４の熱画像形成センサ（及び／又は他のセンサ、機器等）からの未加工データを含むことができ、データは、ＭＣＤ４４０での表示及び／又はＡＤＤ６０５による表示用にＭＣＤ４４０のハードウェア及び／又はソフトウェアで画像に加工される。実施の形態によっては、加工したデータは、ユーザへの表示用にＡＤＤ６０５に送信するためにＭＣＤ４４０がＴＩＡ１０４に送信する、及び／又はＭＣＤ４４０が直接ＡＤＤ６０５に送信することができる。実施の形態によっては、ＡＤＤ６０５に表示する前にデータの一部を更にＴＩＡ１０４が加工することができ、同時に、ＴＩＡ１０４及び／又はＭＣＤ４４０が他のデータをデータディスプレイへ直接に送信することができる。
【００６５】
実施の形態によっては、ＡＤＤ６０５は、特定のユーザの場所に特有のデータを投影するように構成することができ、一方で、他のユーザはそれぞれの場所に関して加工され表示されたデータを見る。例えば、容疑者を追跡している警察官は、ＴＩＡ１０４に組込まれたレーザー測距器で容疑者の位置を「マーク」し、画像を司令所に送ることができる。他の警察官は、その位置の方角を自分のデータディスプレイで自分の位置に関連させて見ることになる（例えば、その場所へと走る／別の場所で容疑者を取り押さえるために移動することができるように）。
【００６６】
実施の形態によっては、ＴＩＡ１０４を、ＨＭＳ６０２から取り外して他のシステム、対象物等に移動可能とすることができる。例えば、ＴＩＡ１０４を、ＨＭＳ６０２から銃器の光学スコープ取付け部、ロボット運搬システム（例えば、爆弾探知ロボット、又は探索救助ロボット）に移動させたり、ユーザの頭部／身体を危険から（例えば、発砲、投げつけられた物等から）保護するため、ポール又は他の対象物に取り付けたＴＩＡを用いて壁、ドア枠等の上／陰から覗いたりすることができる。これにより、ＴＩＡ１０４をＨＭＳ６０２から切り離した場合であっても、ユーザはＴＩＡ１０４からのデータをＡＤＤ６０５で見ることができる。
【００６７】
図７は、実施の形態による、頭部搭載型支持体に取り付けられた図６に代わる熱画像形成アクセサリの異なる斜視図７００である。
【００６８】
図８は、実施の形態による、頭部搭載型支持体に取り付けられた図６に代わる熱画像形成アクセサの別の斜視図８００である。
【００６９】
本明細書に記載された主題の実施の形態及び機能作動は、本明細書に開示する構造及びその構造的均等物を含む、デジタル電子回路、明白に具体化されたコンピュータソフトウェア又はファームウェア、コンピュータハードウェアに、又はそれらの１つ以上の組合せに実装可能である。本明細書に記載された主題の実施の形態は、１つ以上のコンピュータプログラムとして、即ち、データ加工装置による実行のために、又はデータ加工装置の作動を制御するために、有形の持続性コンピュータ記憶媒体上でコード化されたコンピュータプログラム命令の１つ以上のモジュールとして実装可能である。これに代えて、あるいはこれに加えて、人工的に発生させた伝播信号、例えば、適切な受信装置に送信し、データ加工装置によって実行できるよう、情報をコード化するために生成される機械生成による電気的、光学的又は電磁的信号上に、プログラム命令をコード化することができる。コンピュータ記憶媒体は、機械で読取り可能な記憶デバイス、機械で読取り可能な記憶基板、ランダムアクセスメモリデバイスもしくはシリアルアクセスメモリデバイス、又はこれらの１つ以上の組合せとすることができる。
【００７０】
「データ加工装置」、「コンピュータ」又は「電子コンピュータデバイス」（又は当業者が理解する均等物）という用語は、データ加工ハードウェアを意味し、データを加工する全ての種類の装置、デバイス、及び機械を包含する。例としては、プログラム可能なプロセッサ、コンピュータ、又は複数のプロセッサ又はコンピュータが挙げられる。装置はまた、特殊目的の論理回路、例えば、中央演算処理装置（ＣＰＵ：ｃｅｎｔｒａｌ  ｐｒｏｃｅｓｓｉｎｇ  ｕｎｉｔ）、ＦＰＧＡ（ｆｉｅｌｄ  ｐｒｏｇｒａｍｍａｂｌｅ  ｇａｔｅ  ａｒｒａｙ：フィールドプログラマブルゲートアレイ）、又はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ：特定用途向け集積回路）とすることができる、又はそれを更に含むことができる。実施の形態によっては、データ加工装置及び／又は特殊目的の論理回路は、ハードウェアベースのもの及び／又はソフトウェアベースのものであってもよい。装置は、場合によりコンピュータプログラム用の実行環境を創出するコード、例えば、プロセッサのファームウェア、プロトコルスタック、データベース管理システム、オペレーティングシステム、又はこれらの１つ以上の組合せを構成するコードを含むことができる。本開示は、従来のオペレーティングシステム、例えば、ＬＩＮＵＸ、ＵＮＩＸ（登録商標）、ＷＩＮＤＯＷＳ（登録商標）、ＭＡＣ  ＯＳ、ＡＮＤＲＯＩＤ（登録商標）、ＩＯＳ、又は他の任意適切な従来のオペレーティングシステムを含む、又は含まないデータ加工装置の使用を意図している。
【００７１】
コンピュータプログラムは、プログラム、ソフトウェア、ソフトウェアアプリケーション、モジュール、ソフトウェアモジュール、スクリプト、又はコードとも呼ばれたり記載されたりすることがあるが、コンパイラ型言語もしくはインタープリタ型言語、又は宣言型言語もしくは手続型言語を含む任意の形態のプログラミング言語で書くことができ、スタンドアロンプログラム又はモジュール、コンポーネント、サブルーチン、又はコンピューティング環境での使用に適した他のユニットを含む任意の形態で展開することができる。コンピュータプログラムは、ファイルシステム内のファイルに対応していてもよいが、必ずしもその必要はない。プログラムは、他のプログラム又はデータ、例えば、マークアップ言語文書、対象のプログラム専用の単一ファイル、又は複数の連携ファイル、例えば、１つ以上のモジュール、サブプログラム、又はコードの一部を記憶するファイル、に記憶される１つ以上のスクリプトを保持するファイルの一部に記憶することができる。コンピュータプログラムは、１つのコンピュータ、又は１カ所に位置するもしくは複数の場所に分散され通信ネットワークによって相互接続された複数のコンピュータ上で実行されるように展開することができる。様々な図に示すプログラムの一部は、様々なオブジェクト、方法、又は他のプロセスを通じて様々な特徴及び機能を実装する個々のモジュールとして示されているが、プログラムは、これに代えて、サブモジュール、第三者によるサービス、コンポーネント、ライブラリ、及びそのようなものを必要に応じ複数含んでもよい。反対に、様々なコンポーネントの特徴及び機能は、適宜に単一コンポーネントにまとめてもよい。
【００７２】
本明細書に記載するプロセス及び論理フローは、入力データで作動し出力を生成することで機能を遂行するために１つ以上のコンピュータプログラムを実行する１つ以上のプログラム可能なコンピュータによって遂行することができる。プロセス及び論理フローはまた、特殊目的の論理回路、例えば、ＣＰＵ、ＦＰＧＡ、又はＡＳＩＣによって遂行することもでき、装置をこれらとして実装することもできる。
【００７３】
コンピュータプログラムの実行に適するコンピュータは、汎用及び特殊目的マイクロプロセッサの一方、両方、又は他の種類のＣＰＵに基づくものとすることができる。一般に、ＣＰＵは、命令とデータとを読取り専用メモリ（ＲＯＭ：ｒｅａｄ−ｏｎｌｙ  ｍｅｍｏｒｙ）もしくはランダムアクセスメモリ（ＲＡＭ：ｒａｎｄｏｍ  ａｃｃｅｓｓ  ｍｅｍｏｒｙ）、又は両者から受信する。コンピュータの必須要素は、命令を遂行又は実行するためのＣＰＵと、命令とデータを記憶するための１つ以上のメモリデバイスである。一般に、コンピュータは、更に、データを記憶するための１つ以上の大容量記憶デバイス、例えば、磁気ディスク、光磁気ディスク、又は光ディスクを含むか、これらからデータを受信する、もしくはこれらにデータを送信するようにこれらに作動可能に連結されているか、その両方である。ただし、コンピュータは、こうしたデバイスを有していなくてもよい。加えて、コンピュータは、別のデバイス、例えば、幾つか例を挙げると、携帯電話、携帯情報端末（ＰＤＡ：ｐｅｒｓｏｎａｌ  ｄｉｇｉｔａｌ  ａｓｓｉｓｔａｎｔ）、携帯オーディオプレイヤ又はビデオプレイヤ、ゲーム機、全地球測位システム（ＧＰＳ）受信機、又はポータブル記憶デバイス、例えば、ユニバーサルシリアルバス（ＵＳＢ）フラッシュドライブに組込むことができる。
【００７４】
コンピュータプログラム命令及びデータの記憶に適するコンピュータ可読媒体（必要に応じ一時性又は持続性）は、全ての形態の不揮発性メモリ、媒体及びメモリデバイスを含む。例としては、半導体メモリデバイス、例えば、消去可能プログラマブル読取り専用メモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能プログラマブル読取り専用メモリ（ＥＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、及びフラッシュメモリデバイス；磁気ディスク、例えば、内蔵ハードディスク又はリムーバブルディスク；光磁気ディスク；ならびにＣＤ−ＲＯＭ、ＤＶＤ＋／−Ｒ、ＤＶＤ−ＲＡＭ、及びＤＶＤ−ＲＯＭディスクが挙げられる。メモリは、キャッシュ、クラス、フレームワーク、アプリケーション、バックアップデータ、ジョブ、ウェブページ、ウェブページテンプレート、データベーステーブル、ビジネス情報及び／又は動的な情報を記憶するリポジトリ、及び任意のパラメータ、変数、アルゴリズム、命令、規則、制約又はこれらへの参照を含む他の任意適切な情報といった様々なオブジェクト又はデータを記憶してもよい。加えて、メモリは、例えばログ、ポリシ、セキュリティーデータ又はアクセスデータ、報告ファイルなどのような他の任意適切なデータを含んでもよい。プロセッサ及びメモリは、特殊目的の論理回路によって補完されてもよく、これと統合されてもよい。
【００７５】
ユーザとの相互作用を実現するため、本明細書に記載する主題の実施の形態は、情報をユーザに表示するためのディスプレイデバイス、例えば、ＣＲＴ（ｃａｔｈｏｄｅ  ｒａｙ  ｔｕｂｅ：陰極線管）、ＬＣＤ（ｌｉｑｕｉｄ  ｃｒｙｓｔａｌ  ｄｉｓｐｌａｙ：液晶ディスプレイ）、ＬＥＤ（Ｌｉｇｈｔ  Ｅｍｉｔｔｉｎｇ  Ｄｉｏｄｅ：発光ダイオード）、又はプラズマモニタと、ユーザがコンピュータに入力できるキーボード及びポインティングデバイス、例えば、マウス、トラックボール、又はトラックパッドを有するコンピュータに実装することができる。コンピュータへの入力は、感圧性を有するタブレットコンピュータ表面、容量もしくは電気検知を用いたマルチタッチスクリーン、又は他のタイプのタッチスクリーンなどのタッチスクリーンを使用して行ってもよい。他の種類のデバイスを使用してユーザとの相互作用を実現することもできる。例えば、ユーザへのフィードバックは、任意の形態の感覚フィードバック、例えば、視覚フィードバック、聴覚フィードバック、又は触覚フィードバックとすることができ、ユーザからの入力は、音響入力、音声入力、又は触覚入力を含む、任意の形態で受信することができる。加えて、コンピュータは、ユーザが使用するデバイスにドキュメントを送信しユーザが使用するデバイスからドキュメントを受信することで、例えば、ウェブブラウザから受信した要求に応えてユーザのクライアントデバイス上のウェブブラウザにウェブページを送信することで、ユーザと相互作用することができる。
【００７６】
「グラフィカルユーザインターフェース」又は「ＧＵＩ」という用語は、１つ以上のグラフィカルユーザインターフェース及び特定のグラフィカルユーザインターフェースのそれぞれの表示を記載するのに、単数形又は複数形で使用する場合がある。したがって、ＧＵＩは、情報を加工し効率的に情報結果をユーザに提示する、ウェブブラウザ、タッチスクリーン、又はコマンドラインインターフェース（ＣＬＩ：ｃｏｍｍａｎｄ  ｌｉｎｅ  ｉｎｔｅｒｆａｃｅ）を含むがそれに限らない、任意のグラフィカルユーザインターフェースを表す場合がある。一般に、ＧＵＩは、ビジネススイートユーザが作動可能な相互作用フィールド、プルダウンリスト、及びボタンなどの複数のユーザインターフェース（ＵＩ：ｕｓｅｒ  ｉｎｔｅｒｆａｃｅ）要素を含む場合があり、その一部又は全部が、ウェブブラウザと関連している。これらのＵＩ要素及び他のＵＩ要素が、ウェブブラウザの機能と関連していてもよく、ウェブブラウザの機能を表していてもよい。
【００７７】
本明細書に記載された主題の実施の形態は、例えばデータサーバーのようなバックエンドコンポーネントを含むコンピューティングシステム、又は、ミドルウェアコンポーネント、例えば、アプリケーションサーバーを含むコンピューティングシステム、又は、フロントエンドコンポーネント、例えば、ユーザと本明細書に記載された主題の実施の形態との相互作用を可能にするウェブブラウザもしくはグラフィカルユーザインターフェースを有するクライアントコンピュータを含むコンピューティングシステム、又はこうしたバックエンド、ミドルウェア、又はフロントエンドコンポーネントの１つ以上の任意の組合せに実装することができる。システムのコンポーネントは、無線通信及び／又は無線デジタルデータ通信の任意の形態又は媒体、例えば、通信ネットワークによって相互接続できる。通信ネットワークの例としては、ローカルエリアネットワーク（ＬＡＮ：ｌｏｃａｌ  ａｒｅａ  ｎｅｔｗｏｒｋ）、無線アクセスネットワーク（ＲＡＮ：ｒａｄｉｏ  ａｃｃｅｓｓ  ｎｅｔｗｏｒｋ）、メトロポリタンエリアネットワーク（ＭＡＮ：ｍｅｔｒｏｐｏｌｉｔａｎ  ａｒｅａ  ｎｅｔｗｏｒｋ）、広域ネットワーク（ＷＡＮ：ｗｉｄｅ  ａｒｅａ  ｎｅｔｗｏｒｋ）、マイクロ波アクセスのための世界的な相互運用サービス（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、例えば８０２．１１ａ／ｂ／ｇ／ｎ及び／又は８０２．２０を使用する無線ローカルエリアネットワーク（ＷＬＡＮ：ｗｉｒｅｌｅｓｓ  ｌｏｃａｌ  ａｒｅａ  ｎｅｔｗｏｒｋ）、インターネットの一部又は全部、及び／又は一カ所以上の他の任意の通信システムが挙げられる。ネットワークは、ネットワークアドレス間で、例えば、インターネットプロトコル（ＩＰ：Ｉｎｔｅｒｎｅｔ  Ｐｒｏｔｏｃｏｌ）パケット、フレームリレーフレーム、非同期転送モード（ＡＴＭ：Ａｓｙｎｃｈｒｏｎｏｕｓ  Ｔｒａｎｓｆｅｒ  Ｍｏｄｅ）セル、音声、動画、データ、及び／又は他の適切な情報と通信してもよい。
【００７８】
コンピューティングシステムは、クライアントとサーバーとを含むことができる。クライアントとサーバーは一般に互いに離れており、典型的には通信ネットワークを通じて相互作用する。クライアントとサーバーの関係は、それぞれのコンピュータ上で作動し、互いにクライアント−サーバー関係を有するコンピュータプログラムによって生じる。
【００７９】
実施の形態によっては、コンピューティングシステムのコンポーネントのいずれか又は全部は、ハードウェア及び／又はソフトウェアともに、アプリケーションプログラミングインターフェース（ＡＰＩ）及び／又はサービスレイヤを使用して互いと及び／又はインターフェースと連携してもよい。ＡＰＩは、ルーチン、データ構造、及びオブジェクトクラス用の仕様を含んでもよい。ＡＰＩは、コンピュータ言語非依存でも依存でもよく、完全なインターフェース、単機能、又は一組のＡＰＩに当てはまるものであってもよい。サービスレイヤは、コンピューティングシステムにソフトウェアサービスを提供する。コンピューティングシステムの様々なコンポーネントの機能は、このサービスレイヤを用いてサービス購入者が誰でもアクセス可能なものであってもよい。ソフトウェアサービスは、定義されたインターフェースを介して再使用可能な、定義されたビジネス機能を提供する。例えば、インターフェースは、拡張マークアップ言語（ＸＭＬ）フォーマット又は他の適切なフォーマットでデータを提供するＪＡＶＡ（登録商標）、Ｃ＋＋、又は他の適切な言語で書かれたソフトウェアであってもよい。ＡＰＩ及び／又はサービスレイヤは、コンピューティングシステムの他のコンポーネントに関連する一体のコンポーネント及び／又はスタンドアロンコンポーネントであってもよい。更には、サービスレイヤの一部又は全ての部分は、本開示の範囲から逸脱しない範囲で、別のソフトウェアモジュール、アプリケーション、又はハードウェアモジュールの子モジュール又はサブモジュールとして実装されてもよい。
【００８０】
本明細書は多くの特定の実施の形態の詳細を含むが、これらは任意の発明の範囲又は請求され得るものの範囲に対する制限とみなすべきではなく、特定の発明の特定の実施の形態に固有であり得る特徴の記載とみなすべきである。個別の実施の形態の文脈において本明細書に記載されるある種の特徴はまた、単一の実施の形態において組み合わせて実施され得る。反対に、単一の実施の形態の文脈において記載される様々な特徴はまた、複数の実施の形態において別々に又は任意の適切なサブコンビネーションで実施され得る。更に、特徴がある種の組合せで作動するものとして上で記載され、そのようなものとして最初に請求されることさえあるが、請求される組合せからの１以上の特徴は、場合によっては組合せから除外されてもよいし、請求される組合せは、サブコンビネーション又はサブコンビネーションの変形を対象としてもよい。
【００８１】
主題の特定の実施の形態を記載した。記載された実施の形態の他の実施の形態、変更、及び変形は、当業者には明らかなように、以下の特許請求の範囲内に含まれる。作動は、図面又は特許請求において特定の順序で描かれるが、これは、所望の結果を得るために、このような作動が、示される特定の順序又は連続的順序で遂行されること、又は図示される全ての作動が実行されることを要求するものとして理解するべきではない（作動の一部は必須ではないと考えてよい）。ある種の状況では、マルチタスキング及び並行処理が有用であり得る。
【００８２】
更に、上記の実施の形態における様々なシステムモジュール及びコンポーネントの分離及び／又は統合は、全ての実施の形態においてこのような分離及び／又は統合が要求されるものとして理解するべきではなく、記載されたプログラムコンポーネント及びシステムは一般に、単一のソフトウェア製品にまとめるか、複数のソフトウェア製品にパッケージ化することができるものと理解すべきである。
【００８３】
したがって、上の実施の形態としての実施の記載は、この開示を規定又は限定するものではない。この開示の精神及び範囲から逸脱することなく他の変更、置換又は改変も可能である。
【符号の説明】
【００８４】
１０２  頭部搭載型スマートデバイス（ＨＭＳＤ）
１０４  熱画像形成アクセサリ（ＴＩＡ）
１０６  熱画像形成レンズ
１０８  取付けクリップ
１１０  データディスプレイ
１１２  光学カメラ
６０２  頭部搭載型支持体（ＨＭＳ）
６０３  取付け機構
６０４  レンズ
６０５  データディスプレイ
６０６  テンプル／イヤピース
【図１】
2017519999.tif 000003
【図２】
2017519999.tif 000004
【図３】
2017519999.tif 000005
【図４】
2017519999.tif 000006
【図５】
2017519999.tif 000007
【図６】
2017519999.tif 000008
【図７】
2017519999.tif 000009
【図８】
2017519999.tif 000010
【国際調査報告】
2017519999.tif 000011
2017519999.tif 000012